(57)【要約】      （修正有）【課題】磁石の磁着力を使って、離脱・接合式の一対式装身具用留め金具に関する。【解決手段】一対式の離脱・接合式の留め金具構成体が接合時に磁着した際に、一対式金具構成体甲・乙に連結されたチェーンを緊張方向に引っ張ってチェーンを同一直線上に揃えた際に、この直線に対し緊張方向に引っ張ることにより離脱し、甲・乙双方の接合面を緩和方向に近づけることにより対向する磁着面の磁力により接合する。また、一対構造に対し、セイフティー具を用いることにより横及び縦方向において予期せぬ力が加わったり、粗雑に使用した際にも外れを防止することができる。【選択図】図３
2005211608.tif 000002
【特許請求の範囲】
【請求項１】
チェーンなどの可撓性を有する線条部材の端部が連結された一対の留め具構成体（それぞれを甲・乙とする）が、その一対の留め具構成体甲・乙が、対向する磁着面の磁力により離脱・接合可能に連結され、その一対の留め具構成体甲・乙が対向する磁着面の磁力によりチェーンなどを留めるという装身具用留め具。
【請求項２】
その一対の留め具構成体甲・乙が対向する磁着面の磁力によりチェーンなどを留めるという動作をする際、その離脱・接合部甲・乙にそれぞれ凹部凸部を用いることにより、接合面のズレを防止し、かつ対向する磁着面の磁力により容易に留めるという特徴を持った装身具用留め具。
【請求項３】
その一対の留め具構成体甲・乙が対向する磁着面の磁力によりチェーンなどを留めるという動作をする際、永久磁石の磁着力を利用し、離脱時にはその一対の留め具構成体後部を緊張方向に引っ張ることにより離脱可能になり、接合時には一対式留め金具の対向する磁着面を近づける事により磁着面の磁力により接合するという特徴を持った装身具用留め具。
【発明の詳細な説明】
【発明の詳細な説明】
この発明は、ネックレス等のチェーンや紐などの線条部材を連結するために、一対の留め具構成体を連結方法及びズレ防止方法を用いその離脱・接合時に永久磁石の磁着力を利用した留め具の改良に関する。
【技術分野】この発明は、ネックレス等のチェーンや紐などの線条部材を連結するために永久磁石の磁着力を利用した留め具の改良に関する。
【背景技術】ネックレスなどのチェーンを連鎖する場合や、紐を連結する場合に機械式構成の留め具ではその着脱操作が煩雑となる欠点があった。そのため、従来から永久磁石を用いた留め具が知られている。例えば、実開昭５６−１５４０１２号公報の係合具では、立ち上り縁外側一方に向けて取付片を突設した皿状のケース部を一対に設け、一方のケース部には強磁性板を下面として磁極面一方から他方へ係合孔を設けた永久磁石を前記孔が上面に露呈するように固定し、他方のケース部には、内底面に強磁性板を固定すると共に、これらの強磁性板の一方より突出した強磁性桿を前記永久磁石における孔を介して他方の強磁性板に磁着脱自在に当接させた構成が開示されている。上記構成では、ケースと磁石との嵌合並びに取り付け片を同一位置に設け、磁着面に対するテコ動作のような引き剥がし外力が加わらないようにしているが、磁着したケースを分離させるには対向する一対の取り付け片をそれぞれ反対方向に捻って磁力に抗して引き離す必要があり、例えば、取り付け片がケースと共に軟らかな貴金属で成形されているような場合には上記の捻り操作で取り付け片が曲がってしまう虞れがある。また、特開２０００−４１７１７留め具構成体号の装身具の留め具においては、一対の容器に縦向きに手持ちリングを設け、該手持ちリングを装身具でつないでおり、この場合も手持ちリングは、連結された容器の対向する側に配置されて前記と同様に磁力に抗して引き離す必要があり、同様の問題点があった。
【発明が解決しようとする課題】
この発明は上記事情に鑑みて創案されたものであって、その主たる課題は、磁着力で離脱・接合する一対式の留め具構成体を、一対式の留め具構成体後部を緊張方向に引っ張ることにより離脱し、また甲・乙の接合面を近づけることにより対向する磁着面の磁力により接合する。また不用意に離脱するのを防止するため、セイフティー具を用い安全かつ確実に接合状態を維持するようにした装身具用留め具を提供することにある。この発明の別の課題は、上記主たる課題に加えて、予期せずに外から力が加わった際に離脱することがないようにした装身具用留め具を提供することにある。
【課題を解決するための手段】
この発明は、上記課題を解決するために、請求項１の発明では、チェーンなどの可撓性を有する線条部材の端部が連結された一対式の留め具構成体甲・乙が、その一対の留め具構成体の後方にあるネックレス等のチェーンや紐などの線条部材の連結部を緊張方向に引っ張り、対向する磁着面の磁力により離脱可能に連結される。接合時には横方向及び縦方向に力が加わった場合にもセイフティー具にて固定されているため、磁着面及び接合部にズレが発生することはないという技術的手段を講じている。
請求項２の発明では、予期せぬ力が加わったり、粗雑に使用した際にも、その一対式の留め具構成体甲・乙にセイフティー具を用い、凹部凸部を整合させることによりズレ防止及びチェーン等本体の容易な離脱を防止するという技術的手段を講じている。
請求項３の発明では、一対式の留め具構成体甲・乙を離脱・接合行為をする際、従来機械式構成の留め具ではその着脱操作が煩雑となる欠点があったが、永久磁石の磁着力を利用することにより、その着脱操作が容易になり、離脱時においては、その留め具構成体甲・乙の留め具構成体後方にある連結部を緊張方向に引っ張ることにより離脱可能になり、接合時においては一対式留め金具甲・乙の凹凸部を近づけることにより凹凸部の接合面における永久磁石の磁着力を用いて確実に接合するという技術的手段を講じている。
【発明を実施するための最良の形態】以下に、この発明の装身具用留め具の好適実施例について図面を参照しながら説明する。図１に示す装身具用留め具は可撓性を有する線条部材の一例として示す一本のチェーンの端部９に取り付けられて、磁着力で接合連結される一対の留め金具構成体１、４からなっている。
【実施例】一方の留め金具構成体１ともう一方の留め金具構成体４の本体後方にあるネックレス等のチェーンや紐などの線条部材の連結部５・６を緊張方向に引っ張ることで、磁力に抗して留め具構成体を離脱することが容易にできる。
また、接合時には２・３の永久磁石が持つ磁着力により、容易に接合装用ができます。また１・４の一対の本体に対し２・３の永久磁石にて凹凸をつけることにより、本体１・４の磁石ケースにより常に定位置に配され、安定した磁着面の磁力によりチェーンに装着が可能になる。また、予期せぬ力が加わったり、粗雑に使用した際にも、その一対式の留め具構成体甲・乙にセイフティー具７・８を用い、凹部凸部を整合させることによりズレ防止及びチェーン等本体の容易な離脱を防止するよう十分考慮されています。
【発明の効果】
以上説明したように、この発明によれば、磁着力で連結する一対型の留め具構成体を、接合時には一対式の凹凸部にて固定されているためズレの虞もなくその磁着力により、容易に装着できる。また、離脱時には一対式の金具構成体後方にあるネックレス等のチェーンや紐などの線条部材の連結部を緊張方向に引っ張ることで、金具構成体を離脱することが容易にできる。また装着時にはその一対式の留め具構成体甲・乙にセーフティー具を用い、凹部凸部を整合させることによりズレ防止及びチェーン等本体の容易な離脱を防げ、一対式の金具構成体双方に凹凸定位置に装着される永久磁石の磁着面の磁力により、確実かつ容易に装着が可能になる。
【図面の簡単な説明】
【図１】装身具用留め金具を示した立体図である
【図２】装身具用留め金具を示した具体的装着図である
【図３】装身具用留め金具を示した分解平面図である
【符号の説明】
１・・・・・第一留め具構成体（凸部）
２、３・・・永久磁石
４・・・・・第二留め具構成体（凹部）
５、６・・・線条部材の連結部
７，８・・・セーフティー具
９・・・・・ネックレス等のチェーンや紐などの線条部材
【図１】
2005211608.tif 000003
【図２】
2005211608.tif 000004
【図３】
2005211608.tif 000005